【事件の表示】
　特願２００４−　６６４６９「画像入力装置及びそれに用いる画像入力方法」拒絶査定不服審判事件〔平成１７年　９月２２日出願公開、特開２００５−２６０３８３〕について、次のとおり審決する。
【結　論】
　本件審判の請求は、成り立たない。
【理　由】
第１　手続の経緯
　１　手続
　本願は、平成１６年　３月１０日の出願であって、手続の概要は以下のとおりである。 
　 
　拒絶理由通知　　　　　　　平成２１年　６月３０日（起案日） 
　手続補正　　　　　　　　　平成２１年　９月　７日 
　拒絶査定　　　　　　　　　平成２２年　３月１８日（起案日） 
　拒絶査定不服審判請求　　　平成２２年　６月２１日 
　手続補正　　　　　　　　　平成２２年　６月２１日 
　 
　２　査定
　原審での査定の理由は、概略、以下のとおりである。 
　　　　　　　　　　　　　＜理由１＞ 
　本願の請求項１−１０に係る発明は、その出願前に日本国内又は外国において、頒布された下記の刊行物１に記載された発明であるから、特許法第２９条第１項第３号に該当し、特許を受けることができない。 
　 
　　　　　　　　　　　　　＜理由２＞ 
　本願の請求項１−１０に係る発明は、その出願前に日本国内又は外国において、頒布された下記の刊行物１に記載された発明に基いて、その出願前にその発明の属する技術の分野における通常の知識を有する者が容易に発明をすることができたものであるから、特許法第２９条第２項の規定により特許を受けることができない。 
　 
刊行物１：特開２００３−１６３９４０号公報 
　
第２　補正却下の決定
　平成２２年６月２１日付けの手続補正（以下、「本件補正」という。）について次のとおり決定する。 
　 
《結論》 
　平成２２年６月２１日付けの手続補正を却下する。 
　 
《理由》 
１　本件補正の内容 
　本件補正は、平成２１年９月７日付け手続補正書により補正された特許請求の範囲についてする補正を含むものであり、補正前の請求項１ないし１０を、補正後の請求項１ないし１０とするものである。 
　 
特許請求の範囲（補正前） 
　　【請求項１】
　画像入力素子上にカラーフィルタを形成し、前記カラーフィルタの下にフォトダイオードを設けて構築される色センサを用いる画像入力装置であって、
　前記カラーフィルタの位置を前記画像入力素子と水平方向に移動させる移動手段と、前記移動手段による移動を制御する制御手段と、その移動毎に前記フォトダイオードからの信号を保持する保持手段とを有し、前記保持手段に保持された信号を用いて欠陥画素の補完処理を行うことを特徴とする画像入力装置。
　　【請求項２】
　前記カラーフィルタは、Ｒ／Ｇ／Ｂ（Ｒｅｄ／Ｇｒｅｅｎ／Ｂｌｕｅ）のフィルタからなることを特徴とする請求項１記載の画像入力装置。
　　【請求項３】
　前記カラーフィルタは、補色のＹｅ／Ｃｙ／Ｍｇ（Ｙｅｌｌｏｗ／Ｃｙａｎ／Ｍａｇｅｎｔａ）のフィルタからなることを特徴とする請求項１記載の画像入力装置。
　　【請求項４】
　前記制御手段は、前記フォトダイオードの各画素上に前記カラーフィルタの各フィルタが位置するようにずらすよう制御することを特徴とする請求項２または請求項３記載の画像入力装置。
　　【請求項５】
　前記制御手段は、前記フォトダイオードの各画素上で前記カラーフィルタの各フィルタが重なったかのような状態とすることを特徴とする請求項４記載の画像入力装置。
　　【請求項６】
　画像入力素子上にカラーフィルタを形成し、前記カラーフィルタの下にフォトダイオードを設けて構築される色センサを用いる画像入力装置における画像入力方法であって、
　前記カラーフィルタの位置を前記画像入力素子と水平方向に移動させるステップと、その移動毎に前記フォトダイオードからの信号を保持手段に保持するステップと、その保持された信号を用いて欠陥画素の補完処理を行うステップとを有することを特徴とする画像入力方法。
　　【請求項７】
　前記カラーフィルタは、Ｒ／Ｇ／Ｂ（Ｒｅｄ／Ｇｒｅｅｎ／Ｂｌｕｅ）のフィルタからなることを特徴とする請求項６記載の画像入力方法。
　　【請求項８】
　前記カラーフィルタは、補色のＹｅ／Ｃｙ／Ｍｇ（Ｙｅｌｌｏｗ／Ｃｙａｎ／Ｍａｇｅｎｔａ）のフィルタからなることを特徴とする請求項６記載の画像入力方法。
　　【請求項９】
　前記カラーフィルタを移動する際に、前記フォトダイオードの各画素上に前記カラーフィルタの各フィルタが位置するようにずらすことを特徴とする請求項７または請求項８記載の画像入力方法。
　　【請求項１０】
　前記カラーフィルタを移動する際に、前記フォトダイオードの各画素上で前記カラーフィルタの各フィルタが重なったかのような状態とすることを特徴とする請求項９記載の画像入力方法。
　 
特許請求の範囲（補正後） 
　　【請求項１】
　画像入力素子上にカラーフィルタを形成し、前記カラーフィルタの下にフォトダイオードを設けて構築される色センサを用いる画像入力装置であって、
　前記カラーフィルタの位置を前記画像入力素子と水平方向に移動させる移動手段と、前記移動手段による移動を制御する制御手段と、その移動毎に前記フォトダイオードからの信号を保持する保持手段とを有し、前記保持手段に保持された信号のうち、最寄の同色の画素、あるいは最寄のＲ／Ｇ／Ｂ（／Ｇ）から合成した中間色から欠落した画素を平均化あるいは重み付けして推察することにより欠陥画素の補完処理を行うことを特徴とする画像入力装置。
　　【請求項２】
　前記カラーフィルタは、Ｒ／Ｇ／Ｂ（Ｒｅｄ／Ｇｒｅｅｎ／Ｂｌｕｅ）のフィルタからなることを特徴とする請求項１記載の画像入力装置。
　　【請求項３】
　前記カラーフィルタは、補色のＹｅ／Ｃｙ／Ｍｇ（Ｙｅｌｌｏｗ／Ｃｙａｎ／Ｍａｇｅｎｔａ）のフィルタからなることを特徴とする請求項１記載の画像入力装置。
　　【請求項４】
　前記制御手段は、前記フォトダイオードの各画素上に前記カラーフィルタの各フィルタが位置するようにずらすよう制御することを特徴とする請求項２または請求項３記載の画像入力装置。
　　【請求項５】
　前記制御手段は、前記フォトダイオードの各画素上で前記カラーフィルタの各フィルタが重なったかのような状態とすることを特徴とする請求項４記載の画像入力装置。
　　【請求項６】
　画像入力素子上にカラーフィルタを形成し、前記カラーフィルタの下にフォトダイオードを設けて構築される色センサを用いる画像入力装置における画像入力方法であって、
　前記カラーフィルタの位置を前記画像入力素子と水平方向に移動させるステップと、その移動毎に前記フォトダイオードからの信号を保持手段に保持するステップと、その保持された信号のうち、最寄の同色の画素、あるいは最寄のＲ／Ｇ／Ｂ（／Ｇ）から合成した中間色から欠落した画素を平均化あるいは重み付けして推察することにより欠陥画素の補完処理を行うステップとを有することを特徴とする画像入力方法。
　　【請求項７】
　前記カラーフィルタは、Ｒ／Ｇ／Ｂ（Ｒｅｄ／Ｇｒｅｅｎ／Ｂｌｕｅ）のフィルタからなることを特徴とする請求項６記載の画像入力方法。
　　【請求項８】
　前記カラーフィルタは、補色のＹｅ／Ｃｙ／Ｍｇ（Ｙｅｌｌｏｗ／Ｃｙａｎ／Ｍａｇｅｎｔａ）のフィルタからなることを特徴とする請求項６記載の画像入力方法。
　　【請求項９】
　前記カラーフィルタを移動する際に、前記フォトダイオードの各画素上に前記カラーフィルタの各フィルタが位置するようにずらすことを特徴とする請求項７または請求項８記載の画像入力方法。
　　【請求項１０】
　前記カラーフィルタを移動する際に、前記フォトダイオードの各画素上で前記カラーフィルタの各フィルタが重なったかのような状態とすることを特徴とする請求項９記載の画像入力方法。
　 
２　補正の適合性 
（１）補正の範囲（第１７条の２第３項） 
　本件補正は、願書に最初に添付した明細書又は図面の記載に基づくものであるから、願書に最初に添付した明細書又は図面に記載した事項の範囲内においてする補正である。 
　 
（２）補正の目的（第１７条の２第４項第１号〜第４号） 
　本件補正は、
　補正前の請求項１における「前記保持手段に保持された信号を用いて欠陥画素の補完処理を行う」なる記載を、「前記保持手段に保持された信号のうち、最寄の同色の画素、あるいは最寄のＲ／Ｇ／Ｂ（／Ｇ）から合成した中間色から欠落した画素を平均化あるいは重み付けして推察することにより欠陥画素の補完処理を行う」として、補正後の請求項１とする補正と、
　補正前の請求項６における「その保持された信号を用いて欠陥画素の補完処理を行うステップ」なる記載を、「その保持された信号のうち、最寄の同色の画素、あるいは最寄のＲ／Ｇ／Ｂ（／Ｇ）から合成した中間色から欠落した画素を平均化あるいは重み付けして推察することにより欠陥画素の補完処理を行うステップ」として、補正後の請求項６とする補正を含むものであり、 
　上記各補正は、補正前の「（前記保持手段に）保持された信号を用いて欠陥画素の補完処理を行う」を、「（前記保持手段に）保持された信号のうち、最寄の同色の画素、あるいは最寄のＲ／Ｇ／Ｂ（／Ｇ）から合成した中間色から欠落した画素を平均化あるいは重み付けして推察することにより欠陥画素の補完処理を行う」に限定する補正であるということができるから、
　補正後の請求項１および６に対する補正は、特許請求の範囲の減縮に該当する補正事項であると認められる。
　 
（３）独立特許要件（第１７条の２第５項） 
　本件補正は、上記のとおり、特許請求の範囲の減縮を目的とするものである。そこで、特許請求の範囲の減縮を目的とする本件補正後の請求項１に係る発明が、独立して特許を受けることができる発明であるか検討する。 
　 
　ア　補正後の本願発明 
　 
　本件補正後の請求項１に記載される発明（以下「本件補正発明」という）は、以下のとおりのものである。 
　 
　　【請求項１】 
　画像入力素子上にカラーフィルタを形成し、前記カラーフィルタの下にフォトダイオードを設けて構築される色センサを用いる画像入力装置であって、
　前記カラーフィルタの位置を前記画像入力素子と水平方向に移動させる移動手段と、前記移動手段による移動を制御する制御手段と、その移動毎に前記フォトダイオードからの信号を保持する保持手段とを有し、前記保持手段に保持された信号のうち、最寄の同色の画素、あるいは最寄のＲ／Ｇ／Ｂ（／Ｇ）から合成した中間色から欠落した画素を平均化あるいは重み付けして推察することにより欠陥画素の補完処理を行うことを特徴とする画像入力装置。
　 
　イ　刊行物１の記載 
　 
　原査定の拒絶の理由で引用された特開２００３−１６３９４０号公報（以下「刊行物１」という）には、図面とともに、以下の事項が記載されている。 
（刊行物１の記載） 
　 
「【０００３】
【発明が解決しようとする課題】カラーフィルタアレイを用いた従来のカラー撮像方式によると、エリアイメージセンサの各感光部には１つのカラーフィルタを透過した光が入射する。そのため、被写体の走査時に１つの感光部で蓄積した電荷に基づき得られる色情報は１色分のみである。各感光部で得られない色の情報については、各感光部に近接する他の感光部で得られた色情報で補間している。このため従来のカラー撮像方式によると、色情報が正確でないという問題があった。本発明は、上記問題に鑑みて創作されたものであって、その目的は、被写体の色情報をより正確に表すカラー画像データを作成するディジタルカメラ及びディジタルカメラによる撮像方法を提供することにある。
　
【０００４】
【課題を解決するための手段】本発明に係るディジタルカメラによると、複数色のカラーフィルタが２次元に配列されているカラーフィルタアレイと、カラーフィルタの透過光をそれぞれ受光する複数の感光部が２次元に配列されているエリアイメージセンサと、エリアイメージセンサの出力信号に基づいて被写体を表すカラー画像データを作成し記録媒体に格納する信号処理部と、エリアイメージセンサに対してカラーフィルタアレイを相対移動させ複数の感光部の各々に全色のカラーフィルタを時分割して割り当てる駆動部とを備える。
　
【０００６】また本発明に係るディジタルカメラによると、駆動部は、オペレータの選択操作に応じ、２種類のモードのいずれかで作動する。ここで２種類のモードとは、（Ａ）エリアイメージセンサに対してカラーフィルタアレイを相対移動させ複数の感光部の各々に全色のカラーフィルタを時分割して割り当てる第一撮像モードと、（Ｂ）エリアイメージセンサに対してカラーフィルタアレイを移動させずに複数の感光部の各々にいずれか１色のカラーフィルタを割り当てる第二撮像モードである。
　
【００１１】エリアイメージセンサ２６は、ハウジング１８に固定された基板２７に搭載されている。エリアイメージセンサ２６は、レンズ１４の光軸Ｏに垂直な仮想平面上に格子状に配列された複数の感光部２４を有する。各感光部２４はフォトダイオード等の光電変換素子で構成されている。エリアイメージセンサ２６は、各感光部２４で受光した光を光電変換して得られる電荷を一定時間蓄積し蓄積電荷を走査して電気信号（画像信号）として出力する。エリアイメージセンサ２６としてはＣＣＤ形センサ、ＭＯＳ形センサ、積層形センサ、増幅形センサ等のいずれを使用してもよい。
　
【００１２】カラーフィルタアレイ（以下、単にフィルタアレイという。）２２は、レンズ１４の光軸Ｏに垂直な仮想平面上に格子状に配列された複数色のカラーフィルタ２０を備えている。フィルタアレイ２２は、マイクロモータ、圧電素子、ソレノイド等からなるアクチュエータ（ＡＣＴ）２８により移動させられる。
　
【００１５】フィルタアレイ２２は、エリアイメージセンサ２６の至近距離にエリアイメージセンサ２６と平行な姿勢で設けられている。フィルタアレイ２２は、カラーフィルタ２０の配列を規定する縦又は横の格子平行線と平行な方向に移動自在に設けられている。以下、カラーフィルタ２０の配列を規定する縦の格子平行線に平行な方向を垂直方向といい、横の格子平行線に平行な方向を水平方向という。カラーフィルタ２０の垂直方向及び水平方向の配列ピッチはそれぞれ、エリアイメージセンサ２６の感光部２４の垂直方向及び水平方向の各配列ピッチに等しい。
　
【００１７】センサ駆動部４０は、エリアイメージセンサ２６及びアクチュエータ（ＡＣＴ）２８を駆動する電子回路である。センサ駆動部４０は例えば同期信号発生器、駆動用タイミングジェネレータ、Ｄ／Ａ変換器、増幅回路等から構成される。
　
【００１８】
…　略　…
　またセンサ駆動部４０は、フィルタアレイ２２を垂直方向に移動させるための垂直駆動パルス、フィルタアレイ２２を水平方向に移動させるための水平駆動パルス等の駆動パルスをアクチュエータ２８にシーケンス入力することで、アクチュエータ２８を駆動する。
　
【００２０】第一撮像モードで作動するセンサ駆動部４０は一つの静止画像を記録する１回の撮像について、エリアイメージセンサ２６に対してフィルタアレイ２２が相対移動するようにアクチュエータ２８を駆動する処理と、エリアイメージセンサ２６に信号電荷を所定時間蓄積させ信号電荷を走査する処理とを交互に各々カラーフィルタ２０の色数に等しい回数（３回）だけ繰り返す。第一撮像モードでセンサ駆動部４０に駆動されるアクチュエータ２８は、エリアイメージセンサ２６の各感光部２４にＲ、Ｇ、Ｂ各色のカラーフィルタ２０の透過光が一度ずつ入射するようにフィルタアレイ２２を移動させる。
　
【００２３】処理部５０は、アナログフロントエンド（ＡＦＥ）５２、ディジタル画像処理部６０を備え、エリアイメージセンサ２６から出力されるアナログの画像信号に基づきディジタルのカラー画像データを作成しその作成されたカラー画像データを記録媒体としての不揮発生メモリ６４に格納する。
　
【００２５】ディジタル画像処理部６０は、ＡＦＥ５２から出力されたディジタル画像信号からカラー画像データを作成するＤＳＰ（Digital Signal Processor）を備える。ディジタル画像処理部６０は、ディジタル画像処理部６０内部の動作モードを設定するためのモードレジスタを備えている。後述の制御部７０は、センサ駆動部４０を第一撮像モードで作動させるときにはディジタル画像処理部６０を第一撮像モードで作動させ、センサ駆動部４０を第二撮像モードで作動させるときにはディジタル画像処理部６０を第二撮像モードで作動させるように、ディジタル画像処理部６０及びセンサ駆動部４０のモードレジスタに値を設定する。ディジタル画像処理部６０は、モードレジスタに設定される値に応じた方法でカラー画像データの作成を実施する。
　
【００２６】ディジタル画像処理部６０は第一撮像モードでは次のように作動する。すなわち、第一撮像モードでセンサ駆動部４０が作動するときＲ、Ｇ、Ｂ各色のカラーフィルタ２０の透過光は各感光部２４に入射し、Ｒ、Ｇ、Ｂ各色に対応する画像信号が各画素についてＡＦＥ５２からディジタル画像処理部６０に入力される。これにより第一撮像モードで作動するディジタル画像処理部６０は、近傍画素の画像信号を用いた補間を実施することなく、実際に入力された各画素３色の画像信号から全画素につきＲ、Ｇ、Ｂ全色の階調値を得る。
　
【００２８】ディジタル画像処理部６０はカラー画像データの作成の他に、ガンマ補正、欠陥画素補正、自動ホワイトバランス処理、輪郭補正、ホワイトクリップ処理、被写体の抽出処理等の各種の処理をいずれの撮像モードにおいても実施する。
　
【００３１】尚、以上のディジタル画像処理部６０で処理される画像信号や、ディジタル画像処理部６０により作成されるカラー画像データは、必要に応じてワークメモリ（例えば制御部７０のＲＡＭ７６）に一時的に格納することができる。
（…　略　…）」
　 
（刊行物１の記載、以上） 
　 
　ウ　刊行物１に記載された発明（引用発明） 
　
　（ア）刊行物１に記載された発明の概要（課題・目的）
　
　上記刊行物１の段落【０００３】によれば、
　「カラーフィルタアレイを用いた従来のカラー撮像方式」では、「エリアイメージセンサの各感光部には１つのカラーフィルタを透過した光が入射する」ことから「被写体の走査時に１つの感光部で蓄積した電荷に基づき得られる色情報は１色分のみ」であって、「各感光部で得られない色の情報については、各感光部に近接する他の感光部で得られた色情報で補間して」おり、「色情報が正確でない」という課題に鑑みて、
　「被写体の色情報をより正確に表すカラー画像データを作成するディジタルカメラ及びディジタルカメラによる撮像方法を提供する」ことを目的としている。
　
　（イ）「被写体を撮像してカラー画像データを作成する装置」について
　
　上記刊行物１の段落【０００４】に「【課題を解決するための手段】本発明に係るディジタルカメラによると、複数色のカラーフィルタが２次元に配列されているカラーフィルタアレイと、カラーフィルタの透過光をそれぞれ受光する複数の感光部が２次元に配列されているエリアイメージセンサと、エリアイメージセンサの出力信号に基づいて被写体を表すカラー画像データを作成し記録媒体に格納する信号処理部と、エリアイメージセンサに対してカラーフィルタアレイを相対移動させ複数の感光部の各々に全色のカラーフィルタを時分割して割り当てる駆動部とを備える。」とあり、
　
　また、上記刊行物１の段落【０００６】に「また本発明に係るディジタルカメラによると、駆動部は、オペレータの選択操作に応じ、２種類のモードのいずれかで作動する。ここで２種類のモードとは、（Ａ）エリアイメージセンサに対してカラーフィルタアレイを相対移動させ複数の感光部の各々に全色のカラーフィルタを時分割して割り当てる第一撮像モードと、（Ｂ）エリアイメージセンサに対してカラーフィルタアレイを移動させずに複数の感光部の各々にいずれか１色のカラーフィルタを割り当てる第二撮像モードである。」とあるから、
　
　前記第２の２（３）ウ（ア）に記載の課題を解決するための手段として、前記ディジタルカメラに、
「複数色のカラーフィルタが２次元に配列されているカラーフィルタアレイ」、「カラーフィルタの透過光をそれぞれ受光する複数の感光部が２次元に配列されているエリアイメージセンサ」、「エリアイメージセンサの出力信号に基づいて被写体を表すカラー画像データを作成し記録媒体に格納する信号処理部」、および、「エリアイメージセンサに対してカラーフィルタアレイを相対移動させ複数の感光部の各々に全色のカラーフィルタを時分割して割り当てる駆動部」を備え、
　前記「駆動部」は、「エリアイメージセンサに対してカラーフィルタアレイを相対移動させ複数の感光部の各々に全色のカラーフィルタを時分割して割り当てる第一撮像モードと」、「エリアイメージセンサに対してカラーフィルタアレイを移動させずに複数の感光部の各々にいずれか１色のカラーフィルタを割り当てる第二撮像モード」の「いずれかで作動する」ことが記載されている。
　
　ディジタルカメラにおいて、前記「カラーフィルタアレイ」、前記「エリアイメージセンサ」、前記「信号処理部」、および、前記「駆動部」の各構成は、被写体からの光を受光してカラー画像データを作成する装置の構成ということができ、かかる装置を刊行物１に記載された発明として認定する。
　
　すなわち、刊行物１には、
　前記第２の２（３）ウ（ア）に記載の課題を解決するための、被写体からの光を受光してカラー画像データを作成する装置であって、
　「複数色のカラーフィルタが２次元に配列されているカラーフィルタアレイ」、「カラーフィルタの透過光をそれぞれ受光する複数の感光部が２次元に配列されているエリアイメージセンサ」、「エリアイメージセンサの出力信号に基づいて被写体を表すカラー画像データを作成し記録媒体に格納する信号処理部」、および、「エリアイメージセンサに対してカラーフィルタアレイを相対移動させ複数の感光部の各々に全色のカラーフィルタを時分割して割り当てる駆動部」を備え、
　前記「駆動部」は、「エリアイメージセンサに対してカラーフィルタアレイを相対移動させ複数の感光部の各々に全色のカラーフィルタを時分割して割り当てる第一撮像モード」と、「エリアイメージセンサに対してカラーフィルタアレイを移動させずに複数の感光部の各々にいずれか１色のカラーフィルタを割り当てる第二撮像モード」の「いずれかで作動する」装置が記載されているといえる。
　
　（ウ）「エリアイメージセンサ」について
　
　上記刊行物１の段落【００１１】に「エリアイメージセンサ２６は、レンズ１４の光軸Ｏに垂直な仮想平面上に格子状に配列された複数の感光部２４を有する。各感光部２４はフォトダイオード等の光電変換素子で構成されている。エリアイメージセンサ２６は、各感光部２４で受光した光を光電変換して得られる電荷を一定時間蓄積し蓄積電荷を走査して電気信号（画像信号）として出力する。」とあるから、
　刊行物１の前記被写体からの光を受光してカラー画像データを作成する装置が備える前記「エリアイメージセンサ」は、「格子状に配列された複数の感光部２４」を有し、「各感光部２４で受光した光を光電変換して得られる電荷を一定時間蓄積し蓄積電荷を走査して電気信号（画像信号）として出力する」ものであって、前記「各感光部２４はフォトダイオード等の光電変換素子で構成されている」といえる。
　
　（エ）「カラーフィルタアレイ」について
　
　上記刊行物１の段落【００１２】に「カラーフィルタアレイ（以下、単にフィルタアレイという。）２２は、レンズ１４の光軸Ｏに垂直な仮想平面上に格子状に配列された複数色のカラーフィルタ２０を備えている。」とあり、
　また、上記刊行物１の段落【００１５】に「フィルタアレイ２２は、エリアイメージセンサ２６の至近距離にエリアイメージセンサ２６と平行な姿勢で設けられている。」とあり、
　また、刊行物１の図２（第一実施例によるディジタルカメラの内部構造）および図４（ディジタルカメラの構成）からは、イメージセンサ２６よりもレンズ側（被写体光が入射する側）に前記カラーフィルタアレイ（２２）が配置されていることが見てとれるから、
　上記刊行物１の前記被写体からの光を受光してカラー画像データを作成する装置が備える前記「カラーフィルタアレイ」は、「格子状に配列された複数色のカラーフィルタ２０を備え」、前記「エリアイメージセンサ２６の至近距離にエリアイメージセンサ２６と平行な姿勢で」、「イメージセンサ２６よりもレンズ側（被写体光が入射する側）に」設けられているといえる。
　
　（オ）「アクチュエータ（ＡＣＴ）２８」および「センサ駆動部４０」（駆動部）について
　
　　（オ−１）「アクチュエータ（ＡＣＴ）２８」について
　
　　　上記刊行物１の段落【００１２】に「フィルタアレイ２２は、マイクロモータ、圧電素子、ソレノイド等からなるアクチュエータ（ＡＣＴ）２８により移動させられる。」とあり、
　　　また、段落【００１５】に「フィルタアレイ２２は、カラーフィルタ２０の配列を規定する縦又は横の格子平行線と平行な方向に移動自在に設けられている。」とあり、
　　　また、段落【００２０】に「センサ駆動部４０は…（略）…エリアイメージセンサ２６に対してフィルタアレイ２２が相対移動するようにアクチュエータ２８を駆動する処理と、…（略）…繰り返す。」とあるから、
　　　上記刊行物１の前記被写体からの光を受光してカラー画像データを作成する装置は、前記「エリアイメージセンサ２６に対してフィルタアレイ２２（カラーフィルタアレイ）」を前記「カラーフィルタ２０の配列を規定する縦又は横の格子平行線と平行な方向に」「相対移動」させる「アクチュエータ（ＡＣＴ）２８」を備えるといえる。
　
　　（オ−２）「センサ駆動部４０」について
　
　　　上記刊行物１の段落【００１７】に「センサ駆動部４０は、エリアイメージセンサ２６及びアクチュエータ（ＡＣＴ）２８を駆動する電子回路である。」とあり、
　　　段落【００１８】に「またセンサ駆動部４０は、フィルタアレイ２２を垂直方向に移動させるための垂直駆動パルス、フィルタアレイ２２を水平方向に移動させるための水平駆動パルス等の駆動パルスをアクチュエータ２８にシーケンス入力することで、アクチュエータ２８を駆動する。」とあるから、
　　　上記刊行物１の前記被写体からの光を受光してカラー画像データを作成する装置は、「フィルタアレイ２２を垂直方向に移動させるための垂直駆動パルス、フィルタアレイ２２を水平方向に移動させるための水平駆動パルス等の駆動パルスをアクチュエータ２８にシーケンス入力することで、アクチュエータ２８を駆動する」「センサ駆動部４０」を備えるといえる。
　
　　（オ−３）「エリアイメージセンサ２６の各感光部２４にＲ、Ｇ、Ｂ各色のカラーフィルタ２０の透過光が一度ずつ入射するようにフィルタアレイ２２を移動させる」について
　
　　　上記刊行物１の段落【００２０】に「第一撮像モードで作動するセンサ駆動部４０は一つの静止画像を記録する１回の撮像について、エリアイメージセンサ２６に対してフィルタアレイ２２が相対移動するようにアクチュエータ２８を駆動する処理と、エリアイメージセンサ２６に信号電荷を所定時間蓄積させ信号電荷を走査する処理とを交互に各々カラーフィルタ２０の色数に等しい回数（３回）だけ繰り返す。第一撮像モードでセンサ駆動部４０に駆動されるアクチュエータ２８は、エリアイメージセンサ２６の各感光部２４にＲ、Ｇ、Ｂ各色のカラーフィルタ２０の透過光が一度ずつ入射するようにフィルタアレイ２２を移動させる。」とあるから、
　　「第一撮像モードで作動するセンサ駆動部４０」は、「一つの静止画像を記録する１回の撮像について」、「アクチュエータ２８を駆動する処理と、エリアイメージセンサ２６に信号電荷を所定時間蓄積させ信号電荷を走査する処理とを交互に各々カラーフィルタ２０の色数に等しい回数（３回）だけ繰り返」し、前記「第一撮像モードでセンサ駆動部４０に駆動されるアクチュエータ２８は、エリアイメージセンサ２６の各感光部２４にＲ、Ｇ、Ｂ各色のカラーフィルタ２０の透過光が一度ずつ入射するようにフィルタアレイ２２を移動させる」といえる。
　
　　（オ−４）「駆動部」について
　　　ここで、前記「アクチュエータ（ＡＣＴ）２８」は前記「エリアイメージセンサ２６に対してフィルタアレイ２２（カラーフィルタアレイ）」を「相対移動」させ、
　また、前記「センサ駆動部４０」は「駆動パルスをアクチュエータ２８にシーケンス入力することで、アクチュエータ２８を駆動」し、
　　　「第一撮像モードでセンサ駆動部４０に駆動されるアクチュエータ２８は、エリアイメージセンサ２６の各感光部２４にＲ、Ｇ、Ｂ各色のカラーフィルタ２０の透過光が一度ずつ入射するようにフィルタアレイ２２を移動させる」ことから、
　前記「アクチュエータ（ＡＣＴ）２８」および前記「センサ駆動部４０」は、前記被写体からの光を受光してカラー画像データを作成する装置が備える、前記「エリアイメージセンサに対してカラーフィルタアレイを相対移動させ複数の感光部の各々に全色のカラーフィルタを時分割して割り当てる駆動部」に対応する。
　　　よって、前記「駆動部」には、前記「アクチュエータ（ＡＣＴ）２８」および前記「センサ駆動部４０」が含まれるといえる。
　
　　（オ−５）まとめ
　
　　　以上まとめると、
　　　前記被写体からの光を受光してカラー画像データを作成する装置が備える前記「駆動部」には、
　　　前記「エリアイメージセンサ２６に対してフィルタアレイ２２（カラーフィルタアレイ）」を前記「カラーフィルタ２０の配列を規定する縦又は横の格子平行線と平行な方向に」「相対移動」させる「アクチュエータ（ＡＣＴ）２８」（前記オ−１）、および、
　「フィルタアレイ２２を垂直方向に移動させるための垂直駆動パルス、フィルタアレイ２２を水平方向に移動させるための水平駆動パルス等の駆動パルスをアクチュエータ２８にシーケンス入力することで、アクチュエータ２８を駆動する」「センサ駆動部４０」（前記オ−２）が含まれ、
　　　「第一撮像モードで作動するセンサ駆動部４０」は、「一つの静止画像を記録する１回の撮像について」、「アクチュエータ２８を駆動する処理と、エリアイメージセンサ２６に信号電荷を所定時間蓄積させ信号電荷を走査する処理とを交互に各々カラーフィルタ２０の色数に等しい回数（３回）だけ繰り返」し、前記「第一撮像モードでセンサ駆動部４０に駆動されるアクチュエータ２８は、エリアイメージセンサ２６の各感光部２４にＲ、Ｇ、Ｂ各色のカラーフィルタ２０の透過光が一度ずつ入射するようにフィルタアレイ２２を移動させる」（前記オ−３）といえる。
　
　（カ）「信号処理部」（処理部５０、ディジタル画像処理部６０）について
　
　　（カ−１）「処理部５０」について
　　　上記刊行物１の段落【００２３】に「処理部５０は、アナログフロントエンド（ＡＦＥ）５２、ディジタル画像処理部６０を備え、エリアイメージセンサ２６から出力されるアナログの画像信号に基づきディジタルのカラー画像データを作成しその作成されたカラー画像データを記録媒体としての不揮発生メモリ６４に格納する。」とあるから、
　　　前記「アナログフロントエンド（ＡＦＥ）５２」および「ディジタル画像処理部６０」を備える前記「処理部５０」は、上記刊行物１の前記被写体からの光を受光してカラー画像データを作成する装置が備える、前記「エリアイメージセンサの出力信号に基づいて被写体を表すカラー画像データを作成し記録媒体に格納する信号処理部」に対応する。
　　　よって、前記「信号処理部」は、前記「アナログフロントエンド（ＡＦＥ）５２」および「ディジタル画像処理部６０」を備えるといえる。
　
　　（カ−２）「ディジタル画像処理部６０」について
　
　　　段落【００２６】に「ディジタル画像処理部６０は第一撮像モードでは次のように作動する。すなわち、第一撮像モードでセンサ駆動部４０が作動するときＲ、Ｇ、Ｂ各色のカラーフィルタ２０の透過光は各感光部２４に入射し、Ｒ、Ｇ、Ｂ各色に対応する画像信号が各画素についてＡＦＥ５２からディジタル画像処理部６０に入力される。これにより第一撮像モードで作動するディジタル画像処理部６０は、近傍画素の画像信号を用いた補間を実施することなく、実際に入力された各画素３色の画像信号から全画素につきＲ、Ｇ、Ｂ全色の階調値を得る。」とあるから、
　前記「ディジタル画像処理部６０」は、「第一撮像モードでセンサ駆動部４０が作動するときＲ、Ｇ、Ｂ各色のカラーフィルタ２０の透過光は各感光部２４に入射し、Ｒ、Ｇ、Ｂ各色に対応する画像信号が各画素についてＡＦＥ５２からディジタル画像処理部６０に入力され」、前記「第一撮像モードで作動するディジタル画像処理部６０は」「入力された各画素３色の画像信号から全画素につきＲ、Ｇ、Ｂ全色の階調値を得る」ことで、「カラー画像データを作成」するといえる。
　
　　（カ−３）まとめ
　　　以上まとめると、
　　　前記被写体からの光を受光してカラー画像データを作成する装置が備える前記「信号処理部」は、「アナログフロントエンド（ＡＦＥ）５２」および「ディジタル画像処理部６０」を備え、
　　　前記「ディジタル画像処理部６０」は、「第一撮像モードでセンサ駆動部４０が作動するときＲ、Ｇ、Ｂ各色のカラーフィルタ２０の透過光は各感光部２４に入射し、Ｒ、Ｇ、Ｂ各色に対応する画像信号が各画素についてＡＦＥ５２からディジタル画像処理部６０に入力され」、前記「第一撮像モードで作動するディジタル画像処理部６０は」「入力された各画素３色の画像信号から全画素につきＲ、Ｇ、Ｂ全色の階調値を得る」ことで、「カラー画像データを作成」するといえる。
　
　（キ）「欠陥画素補正」について
　
　上記刊行物１の段落【００２８】に「ディジタル画像処理部６０はカラー画像データの作成の他に、ガンマ補正、欠陥画素補正、自動ホワイトバランス処理、輪郭補正、ホワイトクリップ処理、被写体の抽出処理等の各種の処理をいずれの撮像モードにおいても実施する。」とあるから、
　前記「ディジタル画像処理部６０」は、「欠陥画素補正」の処理を実施するといえる。
　
　（ク）「制御部７０」（ワークメモリ）について
　
　上記刊行物１の段落【００３１】に「以上のディジタル画像処理部６０で処理される画像信号や、ディジタル画像処理部６０により作成されるカラー画像データは、必要に応じてワークメモリ（例えば制御部７０のＲＡＭ７６）に一時的に格納することができる。」とあるから、
　前記被写体からの光を受光してカラー画像データを作成する装置は、さらに、ワークメモリ（制御部７０のＲＡＭ７６）を備え、
　前記「ディジタル画像処理部６０で処理される画像信号や、ディジタル画像処理部６０により作成されるカラー画像データ」を、一時的に前記「ワークメモリ（制御部７０のＲＡＭ７６）」に格納できるといえる。
　
　（ケ）まとめ
　上記（ア）〜（ク）によれば、刊行物１に記載された発明（以下、「引用発明」という。）として、以下のとおりのものを認定することができる。  
　  
「カラーフィルタアレイを用いた従来のカラー撮像方式では、エリアイメージセンサの各感光部には１つのカラーフィルタを透過した光が入射することから、被写体の走査時に１つの感光部で蓄積した電荷に基づき得られる色情報は１色分のみであって、各感光部で得られない色の情報については、各感光部に近接する他の感光部で得られた色情報で補間しており色情報が正確でない、という課題を解決するための、被写体からの光を受光してカラー画像データを作成する装置であって、
　前記被写体からの光を受光してカラー画像データを作成する装置は、
　複数色のカラーフィルタが２次元に配列されているカラーフィルタアレイ、カラーフィルタの透過光をそれぞれ受光する複数の感光部が２次元に配列されているエリアイメージセンサ、エリアイメージセンサの出力信号に基づいて被写体を表すカラー画像データを作成し記録媒体に格納する信号処理部、および、エリアイメージセンサに対してカラーフィルタアレイを相対移動させ複数の感光部の各々に全色のカラーフィルタを時分割して割り当てる駆動部を備え、
　前記駆動部は、エリアイメージセンサに対してカラーフィルタアレイを相対移動させ複数の感光部の各々に全色のカラーフィルタを時分割して割り当てる第一撮像モードと、エリアイメージセンサに対してカラーフィルタアレイを移動させずに複数の感光部の各々にいずれか１色のカラーフィルタを割り当てる第二撮像モードのいずれかで作動し、
　前記エリアイメージセンサは、格子状に配列された複数の感光部を有し、各感光部で受光した光を光電変換して得られる電荷を一定時間蓄積し蓄積電荷を走査して電気信号（画像信号）として出力するものであって、前記各感光部はフォトダイオード等の光電変換素子で構成されており、
　前記カラーフィルタアレイは、格子状に配列された複数色のカラーフィルタ２０を備え、前記エリアイメージセンサの至近距離に前記エリアイメージセンサと平行な姿勢で、前記エリアイメージセンサよりもレンズ側（被写体光が入射する側）に設けられ、
　前記駆動部には、前記エリアイメージセンサに対して前記カラーフィルタアレイを前記カラーフィルタ２０の配列を規定する縦又は横の格子平行線と平行な方向に相対移動させるアクチュエータ２８、および、
　前記カラーフィルタアレイを垂直方向に移動させるための垂直駆動パルス、前記カラーフィルタアレイを水平方向に移動させるための水平駆動パルス等の駆動パルスを前記アクチュエータ２８にシーケンス入力することで、前記アクチュエータ２８を駆動するセンサ駆動部４０が含まれ、
　前記第一撮像モードで作動する前記センサ駆動部４０は、一つの静止画像を記録する１回の撮像について、前記アクチュエータ２８を駆動する処理と、前記エリアイメージセンサに信号電荷を所定時間蓄積させ信号電荷を走査する処理とを交互に各々カラーフィルタ２０の色数に等しい回数（３回）だけ繰り返し、前記第一撮像モードで前記センサ駆動部４０に駆動される前記アクチュエータ２８は、前記エリアイメージセンサの各感光部にＲ、Ｇ、Ｂ各色のカラーフィルタ２０の透過光が一度ずつ入射するように前記カラーフィルタアレイを移動させ、
　前記信号処理部は、アナログフロントエンド（ＡＦＥ）５２およびディジタル画像処理部６０を備え、
　前記ディジタル画像処理部６０は、前記第一撮像モードで前記センサ駆動部４０が作動するときＲ、Ｇ、Ｂ各色の前記カラーフィルタ２０の透過光は前記各感光部に入射し、Ｒ、Ｇ、Ｂ各色に対応する画像信号が各画素について前記ＡＦＥ５２から前記ディジタル画像処理部６０に入力され、前記第一撮像モードで作動する前記ディジタル画像処理部６０は、入力された各画素３色の画像信号から全画素につきＲ、Ｇ、Ｂ全色の階調値を得ることで、カラー画像データを作成し、
　前記ディジタル画像処理部６０は、欠陥画素補正の処理を実施し、
　さらに、ワークメモリ（制御部７０のＲＡＭ７６）を備え、前記ディジタル画像処理部６０で処理される画像信号や、前記ディジタル画像処理部６０により作成されるカラー画像データを、一時的に前記ワークメモリに格納できる、
　被写体からの光を受光してカラー画像データを作成する装置。」
　  
　エ　対比  
　　本件補正発明と引用発明とを対比するにあたり、
　　本件補正発明においては、
　　「前記保持手段に保持された信号のうち、最寄の同色の画素、あるいは最寄のＲ／Ｇ／Ｂ（／Ｇ）から合成した中間色から欠落した画素を平均化あるいは重み付けして推察することにより欠陥画素の補完処理を行う」としており、この部分の記載に関して、
　　「前記保持手段に保持された信号のうち、最寄の同色の画素から欠落した画素を平均化あるいは重み付けして推察することにより欠陥画素の補完処理を行う」とする発明と、
　　「前記保持手段に保持された信号のうち、最寄のＲ／Ｇ／Ｂ（／Ｇ）から合成した中間色から欠落した画素を平均化あるいは重み付けして推察することにより欠陥画素の補完処理を行う」とする発明とが含まれ、
　　また、それぞれの発明の中にも、さらに、「平均化して推察する」とする発明と、「重み付けして推察する」とする発明とが含まれている（すなわち、合計４つの発明が含まれている）と認められるが、
　　上記の部分の記載に関しては、このうち、
　　「前記保持手段に保持された信号のうち、最寄の同色の画素から欠落した画素を平均化して推察することにより欠陥画素の補完処理を行う」とする発明を、引用発明と対比することとする。
　  
　（ア）「画像入力装置」について 
　
　　引用発明は「被写体からの光を受光してカラー画像データを作成する装置」である。
　　前記「被写体からの光を受光」することは、（光学的な被写体）画像を（受光し）入力するといえるから、
　　引用発明の前記「被写体からの光を受光してカラー画像データを作成する装置」は画像を入力する装置（画像入力装置）といえ、この点で本件補正発明と一致する。
　
　（イ）「画像入力素子上にカラーフィルタを形成し、前記カラーフィルタの下にフォトダイオードを設けて構築される色センサ」について 
　
　　引用発明は、カラーフィルタアレイと、複数の感光部が２次元に配列されているエリアイメージセンサを有しており、
　　引用発明の前記カラーフィルタアレイ、および、前記複数の感光部が２次元に配列されているエリアイメージセンサは、それぞれ、本件補正発明のカラーフィルタ、および、画像入力素子に対応する。
　　前記カラーフィルタアレイは、前記エリアイメージセンサの至近距離に前記エリアイメージセンサと平行な姿勢で、前記エリアイメージセンサよりもレンズ側（被写体光が入射する側）に設けられており、
　　また、前記エリアイメージセンサに配列されている複数の前記各感光部はフォトダイオード等の光電変換素子で構成されていることから、
　　被写体光が入射する側を上側、エリアイメージセンサを下側とすると、引用発明の前記カラーフィルタアレイおよびエリアイメージセンサは、
　　前記エリアイメージセンサ上に前記カラーフィルタアレイを設け、前記カラーフィルタアレイの下に（前記エリアイメージセンサに配列されている）フォトダイオードを設けているといえ、
　　本件補正発明の（画像入力素子上にカラーフィルタ７を形成し、このカラーフィルタ７の下にフォトダイオード６を設けて主にカラーフィルタ７と組み合わせることで構築されている）色センサに対応するといえる。
　　よって、引用発明は、エリアイメージセンサ（画像入力素子）上にカラーフィルタアレイ（カラーフィルタ）を形成し、前記カラーフィルタアレイの下にフォトダイオードを設けて構築される、カラーフィルタアレイおよびエリアイメージセンサ（色センサ）を備えているといえ、この点で本件補正発明と一致する。
　
　（ウ）「前記カラーフィルタの位置を前記画像入力素子と水平方向に移動させる移動手段」について 
　
　　引用発明は、「エリアイメージセンサに対してカラーフィルタアレイを相対移動させ」る「駆動部」を備えており、
　　前記「駆動部」には、「前記エリアイメージセンサに対して前記カラーフィルタアレイを前記カラーフィルタ２０の配列を規定する縦又は横の格子平行線と平行な方向に相対移動させるアクチュエータ２８」が含まれている。
　　前記「カラーフィルタアレイ」は「エリアイメージセンサと平行な姿勢で」設けられていて、前記「カラーフィルタ２０の配列を規定する縦又は横の格子平行線と平行な方向」は、「エリアイメージセンサ（画像入力素子）」の（複数の感光部が２次元に配列されている）面に対して水平方向といえるから、
　　前記「前記エリアイメージセンサに対して前記カラーフィルタアレイを前記カラーフィルタ２０の配列を規定する縦又は横の格子平行線と平行な方向に相対移動させる」は、前記カラーフィルタアレイの位置を前記エリアイメージセンサ（画像入力素子）と水平方向に移動させるといい得る。
　　よって、引用発明は、前記カラーフィルタアレイ（カラーフィルタ）の位置を前記エリアイメージセンサ（画像入力素子）と水平方向に移動させるアクチュエータ２８（移動手段）を有するといえ、この点で本件補正発明と一致する。
　
　（エ）「前記移動手段による移動を制御する制御手段」について 
　
　　引用発明の前記「駆動部」に含まれる前記「センサ駆動部４０」は、「前記カラーフィルタアレイを垂直方向に移動させるための垂直駆動パルス、前記カラーフィルタアレイを水平方向に移動させるための水平駆動パルス等の駆動パルスを前記アクチュエータ２８にシーケンス入力することで、前記アクチュエータ２８を駆動する」。
　　前記「アクチュエータ２８」は「前記カラーフィルタアレイを垂直方向に移動させるための垂直駆動パルス、前記カラーフィルタアレイを水平方向に移動させるための水平駆動パルス等の駆動パルス」を「センサ駆動部４０」により「シーケンス入力」されることで駆動されて、前記カラーフィルタアレイの移動が制御されるといえるから、
　　引用発明は、前記アクチュエータ２８（移動手段）による（カラーフィルタアレイの）移動を制御するセンサ駆動部４０（制御手段）を備えるといえ、この点で本件補正発明と一致する。
　
　（オ）「その移動毎に前記フォトダイオードからの信号を保持する保持手段」について
　
　　引用発明においては、
　　「前記第一撮像モードで作動する前記センサ駆動部４０は、一つの静止画像を記録する１回の撮像について、前記アクチュエータ２８を駆動する処理と、前記エリアイメージセンサに信号電荷を所定時間蓄積させ信号電荷を走査する処理とを交互に各々カラーフィルタ２０の色数に等しい回数（３回）だけ繰り返し」、
　　「前記第一撮像モードで作動する前記ディジタル画像処理部６０は、入力された各画素３色の画像信号から全画素につきＲ、Ｇ、Ｂ全色の階調値を得ることで、カラー画像データを作成」する。
　　そして、引用発明は「前記ディジタル画像処理部６０で処理される画像信号」を一時的に格納できる「ワークメモリ」を備える。
　
　　「前記第一撮像モードで作動する前記センサ駆動部４０」が「前記アクチュエータ２８を駆動する処理と、前記エリアイメージセンサに信号電荷を所定時間蓄積させ信号電荷を走査する処理とを交互に各々カラーフィルタ２０の色数に等しい回数（３回）だけ繰り返し」て、前記「ディジタル画像処理部６０」は「入力された各画素３色の画像信号から全画素につきＲ、Ｇ、Ｂ全色の階調値を得」て「カラー画像データを作成」するから、
　　前記アクチュエータ２８を駆動してカラーフィルタアレイを移動させる毎に前記エリアイメージセンサを走査して得た（前記ディジタル画像処理部６０に入力された）３枚分の画像信号から、前記ディジタル画像処理部６０が、全画素それぞれＲ、Ｇ、Ｂ全色の階調値が得られる１枚のカラー画像データを作成するのであって、
　　前記ディジタル画像処理部６０が、前記３枚分の画像信号から１枚のカラー画像データを作成するためには、前記カラーフィルタアレイを移動させる毎にエリアイメージセンサを走査して得た前記各画像信号を、一時的にどこかに記憶（保持）させておかなくてはならないことは当業者にとって明かである。
　　引用発明は、前記ディジタル画像処理部６０で処理される画像信号を一時的に格納できるワークメモリを備えているから、
　　引用発明においては、前記カラーフィルタアレイを移動させる毎にエリアイメージセンサを走査して得た前記各画像信号を、前記ワークメモリに一時的に格納（保持）させているといい得る。
　
　　よって、引用発明は、（前記アクチュエータ２８を駆動して）前記カラーフィルタアレイを移動させる毎に（移動毎に）、エリアイメージセンサを走査して得た前記各画像信号（エリアイメージセンサのフォトダイオードからの信号）を一時的に格納（保持）させるワークメモリ（保持手段）を備えており、この点で本件補正発明と一致するといえる。
　
　（カ）「前記保持手段に保持された信号のうち、最寄の同色の画素から欠落した画素を平均化して推察することにより欠陥画素の補完処理を行う」について 
　
　　引用発明のディジタル画像処理部６０は欠陥画素補正の処理（欠陥画素の補完処理）を実施する。
　　前記欠陥画素補正の処理を実施する対象となる画像信号は、上記第２の２（３）エ（オ）に示したとおり、ワークメモリ（保持手段）に一時的に格納（保持）されているから、
　　引用発明においては、前記ワークメモリ（保持手段）に一時的に格納（保持）された画像信号（信号）を用いて、前記欠陥画素補正の処理（欠陥画素の補完処理）を行うといえ、この点で本件補正発明と一致する。
　
　　しかしながら、前記保持手段に保持された信号を用いて欠陥画素の補完処理を行うことが、
　　本件補正発明においては、「前記保持手段に保持された信号のうち、最寄の同色の画素から欠落した画素を平均化して推察することにより欠陥画素の補完処理を行う」のに対し、
　　引用発明においては、「前記保持手段に保持された信号のうち、最寄の同色の画素から欠落した画素を平均化して推察することにより欠陥画素の補完処理を行う」とはしていない点で相違する。
　
　オ　一致点、相違点
　  
　以上の対比によれば、本件補正発明と引用発明とは、以下の一致点で一致し、相違点で相違する。  
　  
《一致点》
　画像入力素子上にカラーフィルタを形成し、前記カラーフィルタの下にフォトダイオードを設けて構築される色センサを用いる画像入力装置であって、
　前記カラーフィルタの位置を前記画像入力素子と水平方向に移動させる移動手段と、前記移動手段による移動を制御する制御手段と、その移動毎に前記フォトダイオードからの信号を保持する保持手段とを有し、前記保持手段に保持された信号を用いて欠陥画素の補完処理を行うことを特徴とする画像入力装置。
　
《相違点》
　「前記保持手段に保持された信号を用いて欠陥画素の補完処理を行う」が、
　本件補正発明においては、「前記保持手段に保持された信号のうち、最寄の同色の画素から欠落した画素を平均化して推察することにより欠陥画素の補完処理を行う」のに対し、
　引用発明においては、「前記保持手段に保持された信号のうち、最寄の同色の画素から欠落した画素を平均化して推察することにより欠陥画素の補完処理を行う」とはしていない点
　  
　カ　判断  
　上記相違点について検討する。  
　
　撮像装置、デジタルカメラの技術分野において、欠陥画素の補完処理（欠陥画素補正の処理）を行う際に、欠陥画素の画素値を同色の周辺画素の画素値を平均化した値で置き換えることで前記欠陥画素の補完を行う技術は、本願出願前において、広く知られており、周知の技術である。
　（例えば、特開２００２−２８１３９０号公報の段落【００２７】、特開２０００−２４４８２３号公報の段落【００１３】、特開２００２−３３０３５５号公報の段落【００４３】の記載を参照されたい。
　なお、欠陥画素の画素値を同色の周辺画素の画素値を重み付けして得ることも、前記特開２０００−２４４８２３号公報の段落【００１４】に記載されているように周知の技術である。）
　そして、前記欠陥画素の画素値を同色の周辺画素の画素値を平均化した値で置き換えることは、前記同色の周辺画素の画素値を平均化することで前記欠陥画素の画素値を推察して、その推察された画素値（周辺画素の画素値を平均化した値）を前記欠陥画素の画素値に置き換えることといえる。
　引用発明においては、「前記保持手段に保持された信号を用いて欠陥画素の補完処理を行う」に際して、（具体的な欠陥画素の補完処理が明記されておらず、）「前記保持手段に保持された信号のうち、最寄の同色の画素から欠落した画素を平均化して推察することにより欠陥画素の補完処理を行う」とはしていないが、
　欠陥画素の画素値を同色の周辺画素の画素値を平均化した値で置き換えることで前記欠陥画素の補完を行うことが当業者に広く知られており、周知の技術であるから、引用発明において欠陥画素の補完処理を行う際に、前記周知の技術を適用しようとすることは当業者であれば容易に想到し得た事であり、
　引用発明に前記周知の技術を適用しようとする際、
　引用発明においては、上記第２の２（３）エ（オ）に示したとおり、「全画素につきＲ、Ｇ、Ｂ全色の階調値を得」ており、欠陥画素に直接隣り合う画素（最寄の画素）にも、前記欠陥画素と同色の画素値が既に得られている（ワークメモリに格納されている）ことから、
　既に得られている（格納されている）欠陥画素に直接隣り合う（最寄の）同色の画素値を平均化して欠陥画素の画素値を推察し、前記欠陥画素の画素値に置き換えようとすることは、当業者であれば容易に想到し得た事である。
　
　よって、引用発明において、「前記保持手段に保持された信号を用いて欠陥画素の補完処理を行う」を、「前記保持手段に保持された信号のうち、最寄の同色の画素から欠落した画素を平均化して推察することにより欠陥画素の補完処理を行う」とすることは、当業者であれば容易に想到し得た事である。
　
　キ　効果
　以上のように、上記相違点は、刊行物１に記載された発明および周知の技術に基づいて当業者が容易に想到し得たものと認められ、本願発明全体としてみても格別のものはなく、その作用効果も、上記構成の採用に伴って当然に予測される程度のものにすぎず、格別顕著なものがあるとは認められない。  
　  
　ク　まとめ（独立特許要件）
　以上によれば、本件補正発明は、刊行物１に記載された発明および周知の技術に基づいて当業者が容易に発明をすることができたものであるから、特許法第２９条第２項の規定により、特許出願の際独立して特許を受けることができない。  
　  
　したがって、本件補正は、平成１８年法律第５５号改正附則第３条第１項によりなお従前の例とされる同法による改正前の特許法第１７条の２第５項において準用する同法第１２６条第５項の規定に適合しない。  
　  
（４）むすび
　以上のとおり、本件補正は、平成１８年法律第５５号改正附則第３条第１項によりなお従前の例とされる同法による改正前の特許法第１７条の２第５項において準用する同法第１２６条第５項の規定に違反するものであるから、同法第１５９条第１項の規定において読み替えて準用する同法第５３条第１項の規定により却下すべきものである。  
　  
第３　本願発明
　平成２２年　６月２１日付けの手続補正は上記のとおり却下されたので、本願の請求項１ないし１０に係る発明は、平成２１年　９月　７日付け手続補正書により補正された特許請求の範囲の請求項１ないし１０に係る発明のとおりであるところ、そのうち、請求項１に係る発明（以下「本願発明」という）は、平成２１年　９月　７日付け手続補正書により補正された特許請求の範囲の請求項１に記載された事項により特定される、以下のとおりのものである。  
　  
　　【請求項１】
　画像入力素子上にカラーフィルタを形成し、前記カラーフィルタの下にフォトダイオードを設けて構築される色センサを用いる画像入力装置であって、
　前記カラーフィルタの位置を前記画像入力素子と水平方向に移動させる移動手段と、前記移動手段による移動を制御する制御手段と、その移動毎に前記フォトダイオードからの信号を保持する保持手段とを有し、前記保持手段に保持された信号を用いて欠陥画素の補完処理を行うことを特徴とする画像入力装置。
　
第４　検討 
　１　刊行物に記載された発明 
　刊行物１には、上記第２の２（３）イの事項が記載されており、刊行物１に記載された発明として、上記第２の２（３）ウ（ケ）の「引用発明」を認定することができる。  
　  
　２　対比（本件補正発明においてした対比の援用）
　本願発明は、引用発明と対比した本件補正発明の「（保持手段に保持された信号のうち、）最寄の同色の画素から欠落した画素を平均化して推察することにより」とする限定事項を削除し、「前記保持手段に保持された信号を用いて欠陥画素の補完処理を行う」としたものである。
　したがって、本願発明と引用発明との対比は、該「（保持手段に保持された信号のうち、）最寄の同色の画素から欠落した画素を平均化して推察することにより」の部分を除き、上記第２の２（３）エの対比を援用する。  
　  
　３　一致点
　以上の対比によれば、本願発明と刊行物発明とは以下の一致点で一致する。 
　 
《一致点》 
　画像入力素子上にカラーフィルタを形成し、前記カラーフィルタの下にフォトダイオードを設けて構築される色センサを用いる画像入力装置であって、
　前記カラーフィルタの位置を前記画像入力素子と水平方向に移動させる移動手段と、前記移動手段による移動を制御する制御手段と、その移動毎に前記フォトダイオードからの信号を保持する保持手段とを有し、前記保持手段に保持された信号を用いて欠陥画素の補完処理を行うことを特徴とする画像入力装置。
　４　まとめ
　したがって、本願発明は、刊行物１に記載された発明である。 
　 
第５　むすび
　以上のとおり、本願の請求項１に係る発明は、刊行物１に記載された発明であるから、特許法第２９条第１項第３号に該当し、特許を受けることができない。 
　したがって、本願は、残る請求項に係る発明について検討するまでもなく、拒絶をすべきものである。 
　よって、結論のとおり審決する。